(57)【要約】【課題】食品工場やレストランでの従業員及び医療従事者等が、正しい手洗いを行うために動画で正しい手洗い方法を説明する際、タイミングが適切でない、正しく行わなかった手洗い者を把握することが困難であるという課題を解決する。【解決手段】手洗い指導サイネージシステムは、洗面台１１の上部に画像を表示するディスプレー部２２とディスプレー部２２に表示する画像を保存する画像記憶部を有するサイネージ装置２１と、洗面台１１の下部に圧電素子を内蔵した圧電マット部３１を有する。圧電マット３１が起電するとビーコン信号３４を発信する機能を有し、サイネージ装置２１が圧電マット部３１の発するビーコン信号３４を受信する機能を有する。【選択図】図１
2020091815.tif 000002
【特許請求の範囲】
【請求項１】
画像を表示するディスプレー部と前記ディスプレー部に表示する画像を保存する画像記憶部とを洗面台の上部に有するサイネージ装置と、
圧電素子を内蔵した圧電マット部を洗面台の下部に有し、
前記圧電マットは、起電するとビーコン信号を発信する機能を有し、
前記サイネージ装置は、前記圧電マット部の発するビーコン信号を受信する機能を有することを特徴とする手洗い指導サイネージシステム。
【請求項２】
前記圧電マット部は、洗面台に向かって左右に２分割された圧電素子を内蔵することを特徴とする請求項１記載の手洗い指導サイネージシステム。
【請求項３】
前記サイネージ装置は、カメラ部を有することを特徴とする請求項１記載の手洗い指導サイネージシステム。
【請求項４】
前記サイネージ装置は、スピーカー部を有することを特徴とする請求項１記載の手洗い指導サイネージシステム。
【請求項５】
画像を表示するディスプレー部と前記ディスプレー部に表示する画像を保存する画像記憶部とを洗面台の上部に有するサイネージ装置と、圧電素子を内蔵した圧電マット部を洗面台の下部に有する手洗い指導サイネージシステムにおいて実行される手洗い指導管理方法であって、
前記サイネージ装置は、
手洗い者が前記圧電マットを踏むことによって起電された電力により踏みつけビーコン信号が発信され、前記踏みつけビーコン信号を受信するステップと、
所定の手洗い指導動画を前記画像記録部から読み出し前記ディスプレー部に表示するステップと、
手洗い者が前記圧電マットから退出することによってマットに荷重されていた負荷が減少したことによる逆起電された電力により退出ビーコン信号が発信され、前記退出ビーコン信号を受信するステップと、
前記退出ビーコン信号受信時に所定の手洗い指導動画が終了したか否かを判定するステップと、
を有することを特徴とする手洗い指導管理方法。
【請求項６】
前記踏みつけビーコン信号は、マット内の隣り合った２つの圧電素子がそれぞれ起電された際に発することを特徴とする請求項５記載の手洗い指導管理方法。
【請求項７】
前記退出ビーコン信号は、時間的に異なるタイミングでマットに荷重されている負荷が減少したこと検出した時点で手洗い者がマットから退出したと判断して発することを特徴とする請求項５記載の手洗い指導管理方法。
【請求項８】
前記踏みつけビーコン信号は、手洗い者が洗面台の下部に位置する洗面台に向かって左右に少なくとも２分割された圧電素子を内蔵するマットを左右両方の足で踏むことによって左右の圧電素子によって起電され発することを特徴とする請求項５記載の手洗い指導管理方法。
【請求項９】
前記判定において前記退出ビーコン信号を受信した時点で所定の手洗い指導動画が終了していない場合、前記サイネージ装置にアラーム表示およびアラーム音が出るステップを有すること特徴とする請求項５記載の手洗い指導管理方法。
【請求項１０】
手洗い者が前記圧電マットを踏むことによって圧電素子に起電され踏みつけビーコン信号を発するステップの後、手洗い者がマットから退出することによって立ち退きビーコン信号を検出するステップの間に、サイネージ装置が有するカメラにより手洗い者を撮影するステップが含まれることを特徴とする請求項５記載の手洗い指導管理方法。
【請求項１１】
中途離脱者と最後まで手洗いを行った者をそれぞれ区別して手洗い者の画像を保存するステップを含むことを特徴とする請求項５記載の手洗い指導管理方法。
【発明の詳細な説明】
【技術分野】
【０００１】
本発明は、食品工場の製造過程に従事する職員、レストランの調理場で調理に従事する職員、病院における手術や治療にあたる医者等の治療従事者、そしてインフルエンザが流行時の学校における生徒、等が手についた菌や汚れを除去するのに適切な手洗い方法を指導、促進させ、正しい手洗い実施状況を管理する指導促進管理するシステムおよび手洗い指導促進管理方法に関するものである。
【背景技術】
【０００２】
近年、食の安全性向上、医療における２次感染対策等、衛生レベルを高いレベルで維持管理する要求が高まっている。例えば、食品工場での衛生管理の重要性が高まる中、工場内で食中毒の原因となる菌の混入事故が起きている。これらの事故の多くは、食品工場の製造過程に従事する職員が外部から工場内の作業場所に菌を持ち込むことによることが原因で発生する。これらの事故を防ぐためには、これらの職員が工場内の作業場所に菌を持ち込まないことが肝要である。そのためには、食品取扱者が作業場所に入る前に、正しい手洗いを実施することが重要と言われている（非特許文献１）。
【０００３】
食品工場の製造過程以外にも、レストランの調理場で調理に従事する職員、病院における手術や治療にあたる医者等の治療従事者、そしてインフルエンザが流行時の学校における生徒、等が手についた菌や汚れを除去するのに適切な手洗いを行わなければならないケースは増えている。
【０００４】
レストランの調理場で調理に従事する職員や、病院における手術や治療にあたる医者等の治療従事者、そしてインフルエンザが流行時の学校における生徒、については、それぞれの場所によって、必要とされるレベルは異なる。しかし、それぞれのケースに適切な手洗いを行い、必要とされるレベルの菌の除去を行うことが重要である。
【０００５】
正しい手洗いが、食品工場やレストランの調理場で食中毒予防に効果的なのは、菌を試食品に付けないことが何より大切で、一旦付いてしまうと殺菌処理に多くの工程が必要となり、また場合によっては食品の品質を劣化させる原因となりかねない。食品取扱者の場合は、常在菌まで取り除く過度な手洗いは不要であるが、正しい手順に従った適切な手洗いを行い、食中毒の原因となる菌の除去を徹底する必要がある。食品工場の製造過程に従事する職員には日本語を理解できない外国人が就業するケースも近年増加しており、このような外国人に対しても正しい手洗いを実施することが重要である。また、病院における手術にあたる医者等の治療従事者の手術前の手洗いは、常在菌まで取り除く手洗い手順がある。場合によっては殺菌状態の確認を行う等の正しい手洗いを手順に従って行う厳密に行う必要がある。インフルエンザが流行時の学校における生徒は、定期的に手洗いを実行させ特に食事前には手洗いの徹底が重要である。その際の手洗いは、正しい手順に従った手洗いを実行することが重要である。
【０００６】
以上述べたように、正しい手洗いで菌を持ち込まないことが、食中毒予防の基本であり、治療従事者の治療行為の基本であり、学校におけるインフルエンザ等の流行病予防の基本である。
【０００７】
従来、洗面所で正しく手洗いすることを指導する方法として、ポスターのような提示物が行われていた。この方法による指導では、職員や生徒に対して訴求力が弱く、正しい手洗いを実施しているかどうかの判定ができず、正しい手洗いを訴求する効果が低い。また、外国人には、内容の把握が困難で、正しい手洗いを訴求する効果が低い。
【０００８】
また、洗面所に紫外線汚れ検知器を設置して手洗い後の汚れをチェックすることも良く行われるが、汚れ検知器では、汚れが除去されたかどうかの判定はできても、正しい手洗いを習熟、実施するのに、効率が悪いという問題があった。
【０００９】
このような課題を解決するために、当社では洗面台の上にディスプレー部とディスプレーに映し出す正しい手洗い手順を記録した映像録画部と、映像スタートを指示するスイッチ部からなる手洗いサイネージシステムを開発してきた。
【００１０】
このシステムを導入すると、多くの職員は、手洗い前にスイッチを押して、正しい手洗いを学習しその通り実施するようになるが、ある程度回数を重ねるとスイッチを押さなくなり、手洗いの手順も正しい手順から異なるような手順で手洗いを実施する傾向があった。また、一部の職員は最初からボタンを押さずにすませるケースもあり、その場合は正しい手順を学ばないで手洗いを実施する場合もあった。
【００１１】
上記課題を解決するために、上記スイッチの代わりにサイネージシステムに人が洗面台の前に立つと自動的に反応する赤外線検知器を用いたシステムを試作、販売した（非特許文献２）。この検知器により、職員が洗面台の前に立つと、自動的に正しい手洗い手順をディスプレー部に表示されるようになり、職員が正しい手順を学ばないケースは防ぐことができるようになった。しかし、赤外線検知器は職員の服装によっては異なる反応を示すことがあり、ビデオの再生開始のタイミングがばらついたり、場合によっては反応しなかったりといったことがあり、誤動作を完全に無くすことが困難であった。
【先行技術文献】
【非特許文献】
【００１２】
【非特許文献１】https://www.mhlw.go.jp/file/06-Seisakujouhou-11130500-Shokuhinanzenbu/0000090171.pdf公益社団法人日本食品衛生協会“食中毒予防のための衛生的な手洗いについて”平成２７年６月２６日、食中毒予防に関する意見交換会
【００１３】
【非特許文献２】https://impacttv.co.jp/pressrelease/「手洗いサイネージ」で食品衛生推進/ｉｍｐａｃｔＴＶ社サイト
【発明の概要】
【発明が解決しようとする課題】
【００１４】
正しい手洗い方法の実施が重要なことは、非特許文献１で詳述されているように、明らかである。しかし、種々の職場や学校などで、正しい手洗いを求める対象となる手洗い者にすべからく実施させるには従来のポスターによる方法では訴求力が弱く、正しい手洗いを実施しているかどうかの判定ができず、また、当社が開発を行ってきたサイネージシステムでも、人感センサーの反応にばらつきが出て正しい手洗い方法が適切なタイミングで説明されないなどの課題があった。また、いずれの方法でも、きちんと手洗いをしたか否かをデータ収集し管理することができなかった。
【００１５】
本発明は、このような点に鑑みてなされたものであり、その目的は、手洗い者が正しい手洗い手順を実施しやすいように、手洗い器の前に立った適切なタイミングで正しい手洗い手順を動画で示し、手順通りに正しく手を洗い終えたか否かを判定し、手洗い者に正しく手洗いを終了するよう指導管理する洗面所における手洗い指導サイネージシステム及びこれを用いた手洗い指導方法を提供することにある。
【課題を解決するための手段】
【００１６】
上記課題を解決するために、本発明に係る洗面所における手洗い指導サイネージシステム及びこれを用いた手洗い指導方法は、以下のものを提供する。
【００１７】
（１）  画像を表示するディスプレー部と前記ディスプレー部に表示する画像を保存する画像記憶部とを洗面台の上部に有するサイネージ装置と、圧電素子を内蔵した圧電マット部を洗面台の下部に有し、前記圧電マットは、起電するとビーコン信号を発信する機能を有し、前記サイネージ装置は、前記圧電マット部の発するビーコン信号を受信する機能を有することを特徴とする手洗い指導サイネージシステム。
【００１８】
本発明によれば、正しい手洗い方法の実施を求める対象となる手洗い者に対する訴求力が強く、正しい手洗い方法を適切なタイミングで動画によって説明できる。
【００１９】
（２）前記圧電マット部は、洗面台に向かって左右に２分割された圧電素子を内蔵することを特徴とする手洗い指導サイネージシステム。
【００２０】
本発明によれば、左右両足が２分割されたマット部に各々ついたことを認識することにより、正しい手洗い方法が適切なタイミングで動画によって説明できる。
【００２１】
（３）前記サイネージ装置は、カメラ部を有することを特徴とする手洗い指導サイネージシステム。
【００２２】
本発明によれば、手洗い者の顔写真を撮影することにより、個人別にきちんと手洗いをしたか否かをデータ収集し管理することができる。
【００２３】
（４）  前記サイネージ装置は、スピーカー部を有することを特徴とする手洗い指導サイネージシステム。
【００２４】
本発明によれば、正しく手を洗わなかった手洗い者が退出した時に、警告を発して再度最後まで正しく手洗いをするように、指導することができる。
【００２５】
（５）  画像を表示するディスプレー部と前記ディスプレー部に表示する画像を保存する画像記憶部とを洗面台の上部に有するサイネージ装置と、圧電素子を内蔵した圧電マット部を洗面台の下部に有する手洗い指導サイネージシステムにおいて実行される手洗い指導管理方法であって、前記サイネージ装置は、手洗い者が前記圧電マットを踏むことによって起電された電力により踏みつけビーコン信号が発信され、前記踏みつけビーコン信号を受信するステップと、所定の手洗い指導動画を前記画像記録部から読み出し前記ディスプレー部に表示するステップと、手洗い者が前記圧電マットから退出することによってマットに荷重されていた負荷が減少したことによる逆起電された電力により退出ビーコン信号が発信され、前記退出ビーコン信号を受信するステップと、前記退出ビーコン信号受信時に所定の手洗い指導動画が終了したか否かを判定するステップと、を有することを特徴とする手洗い指導管理方法。
【００２６】
本発明によれば、正しい手洗い方法の実施を求める対象となる手洗い者に対する訴求力が強く、正しい手洗いを実施しているかどうかの判定ができ、正しい手洗い方法が適切なタイミングで動画によって説明できる。
【００２７】
（６）  前記踏みつけビーコン信号は、マット内の隣り合った２つの圧電素子がそれぞれ起電された際に発することを特徴とする手洗い指導管理方法。
【００２８】
本発明によれば、圧電素子が左右の足でそれぞれ異なる圧電素子を踏むことで２回起電されたことにより手洗い者が洗面台の前に立ったことを正確に認識し、正しい手洗い方法を適切なタイミングで動画によって説明できる。
【００２９】
（７）  前記退出ビーコン信号は、時間的に異なるタイミングでマットに荷重されている負荷が減少したこと検出した時点で手洗い者がマットから退出したと判断して発することを特徴とする手洗い指導管理方法。
【００３０】
本発明によれば、手洗い者が立ち去るタイミングを把握することができ、正しい手洗いを実施しているかどうかの判定ができる。また、正しく手洗いをしたか否かをデータ収集し管理することができる。
【００３１】
（８）  前記踏みつけビーコン信号は、手洗い者が洗面台の下部に位置する洗面台に向かって左右に少なくとも２分割された圧電素子を内蔵するマットを左右両方の足で踏むことによって左右の圧電素子によって起電され発することを特徴とする手洗い指導管理方法。
【００３２】
本発明によれば、手洗い者が両足ともマットにのったタイミングでビーコン信号を発することにより、正しい手洗い方法が適切なタイミングで動画によって説明できる。
【００３３】
（９）  前記判定において前記退出ビーコン信号を受信した時点で所定の手洗い指導動画が終了していない場合、前記サイネージ装置にアラーム表示およびアラーム音が出るステップを有すること特徴とする手洗い指導管理方法。
【００３４】
本発明によれば、正しい手洗い方法の実施を求める対象となる手洗い者に対する訴求力が強く、正しい手洗いを実施しているかどうかの判定ができ、正しい手洗い方法が適切なタイミングで動画によって説明できる。
【００３５】
（１０）  手洗い者が前記圧電マットを踏むことによって圧電素子に起電され踏みつけビーコン信号を発するステップの後、手洗い者がマットから退出することによって立ち退きビーコン信号を検出するステップの間に、サイネージ装置が有するカメラにより手洗い者を撮影するステップが含まれることを特徴とする手洗い指導管理方法。
【００３６】
本発明によれば、正しいしい手洗い方法の実施を求める対象となる手洗い者に対する訴求力が強く、正しい手洗いを実施しているかどうかの判定ができ、正しい手洗い方法が適切なタイミングで動画によって説明でき、きちんと手洗いをしたか否かをデータ収集し管理することができる。
【００３７】
（１１）  中途離脱者と最後まで手洗いを行った者をそれぞれ区別して手洗い者の画像を保存するステップを含むことを特徴とする手洗い指導管理方法。
【００３８】
本発明によれば、正しい手洗い方法の実施を求める対象となる手洗い者に対する訴求力が強く、正しい手洗いを実施しているかどうかの判定ができ、正しい手洗い方法が適切なタイミングで動画によって説明でき、きちんと手洗いをしたか否かをデータ収集し管理することができる。
【発明の効果】
【００３９】
本発明の手洗い指導サイネージシステムおよび手洗い指導促進管理方法は、圧電マットに手洗い者が両足をのせた段階でビーコン信号がサイネージ装置に開始時期を示し、正しい手洗い方法を予め録画した動画をサイネージ装置のディスプレーで正しいタイミングで開始することが出来る。通常、開始信号は有線接続で送る方法も検討するが、常に高いレベルでの清潔度を求められる場所で、清掃の邪魔になる可能性が高い。また、赤外線接続も考えられるが、赤外線ではマットとサイネージ装置の間に手洗い器があり信号伝達を妨げる。また、無線を用いた接続もいくつかの方法が考えられるが、ビーコン信号を用いることにより、どのマットかの特定が可能で、複数個所の手洗い場が同時に稼働する場合でもきちんと管理が可能となる。
【００４０】
圧電マットを用いて手洗い場に手洗い者が立ったことを認識してサイネージ部のディスプレーで正しいタイミングで開始するが、赤外感知器をもちいた感知方式にくらべ、服装や照明等による影響がなく正しく検知することが可能となる。この場合、圧電マットの中の圧電素子を左右に2分割することにより、両足がきちんと左右の圧電素子の上に立ったことにより、正しい位置に手洗い者が立ったと認識することが可能である。また、圧電素子の負荷が無くなった時に出る逆起電力により、手洗い者が手洗いを終了し、その場から立ち去ることを検知可能である。
【図面の簡単な説明】
【００４１】
【図１】本発明の実施の形態に係る手洗い指導サイネージシステム全体図である。
【図２】本発明の実施の形態に係るサイネージ装置システム図である。
【図３】本発明の実施の形態に係る圧電マットの外観図である。
【図４】本発明の実施の形態に係る圧電マットシステム図である。
【図５】本発明の実施の形態に係るビーコン信号の内訳図である。
【図６】本発明の実施の形態に係る手洗い指導促進管理方法の内、初期状態からビデオ開始前までのフロー図である。
【図７】本発明の実施の形態に係る手洗い指導促進管理方法の内、ビデオ開始後から終了までのフロー図である。
【発明を実施するための最良の形態】
【００４２】
以下、本発明の手洗い指導サイネージシステム及び手洗いの方法の実施の形態について、図面に基づいて説明する。なお、図示しない洗面台には洗面器１１が設置されており、洗面台の上部（洗面器の上方）にサイネージ装置が、洗面台の下部（洗面器の下方）に圧電マットが設けられる。
【００４３】
図１は、本発明の実施の形態に係るシステムの全体図である。本システムは、手洗い者１０が洗面器１１で手を洗う際、サイネージ装置２１のディスプレー部２２に示される正しい手洗いの手順と時間に従って手洗い者１０が手を洗うように指導管理する。
手洗い指導サイネージシステムは、洗面器１１上方の前面の壁にかけられたサイネージ装置２１と手洗い者１０が両足で乗る圧電マット３１からなり、その間はビーコン信号３４で接続される。
【００４４】
図２は、サイネージ装置２１を説明する構成図で、ディスプレー部２２としてタッチパネル式液晶パネルと液晶パネルを制御する液晶コントローラ、映像を記録する補助記憶装置、圧電マット３１から発信されたビーコン信号を受信するビーコン信号受信部、手洗者を撮影するカメラ、説明や警告に用いられるスピーカー、これらの制御プログラムを格納するメインメモリ、これらを制御する中央演算処理装置からなる。
【００４５】
図３は、圧電マット３１の外観を説明する図で、内部に左右にそれぞれ圧電素子３２、ビーコン信号発信部３３が内蔵されている。
【００４６】
図４は、圧電マットを説明する構成図で、圧電素子３２と圧電素子３２で起電された電圧を昇圧する昇圧回路４１、ビーコン信号発信部３３からなる。そして、ビーコン信号発信部３３は無線部４２がマイコン４３とメモリ４４によって制御される。
【００４７】
圧電素子３２は、チタン酸バリウム等の圧電セラミックスからなり、補強板で挟まれて構成される。この圧電素子３２に上方向からの圧力が加わると圧電素子３２は変形し起電する。また、上方向からの圧力が無くなると変形していた圧電素子３２は元の形状に戻り、その際に起電する。このようにして、圧電素子３２が変形もしくは元の形状に戻る際に発生するエネルギーは昇圧回路４１でチャージポンプ方式によって昇圧され、ビーコン信号の生成および発信に必要な無線部４２に供給される。成人が片足で踏みつけた場合、または足を離した場合の生成エネルギーは数ミリワット程度発生する。
【００４８】
圧電素子の両極に発生する電圧は加圧の場合と減圧の場合とで極性が異なる。この極性を検出して、送信するコード内に「ＩＮ」、「ＯＵＴ」の識別子を付与する。図５は、圧電マット３１が生成するビーコン信号の内訳を説明する図で、手洗い者が左足でマットレスＡを踏みつけたとき、ビーコン信号は「A-IN」信号を発信する。このビーコン信号は、対応するサイネージ装置Ａが受信する。また、別の手洗い器Ｂで別の手洗い者がマットレスＢを踏みつけると、ビーコン信号は「B-IN」信号を発信する。同様に、このビーコン信号は、対応するサイネージ装置Ｂが受信する。また、別の手洗い器Ｃで別の手洗い者がマットＣから立ち去ると、ビーコン信号は「C-OUT」信号を発信する。同様に、このビーコン信号は、対応するサイネージ装置Ｃが受信する。
このように、各種ビーコン信号を検出することにより、複数ある洗面器に対して、手洗い者１０が、手洗いをするためにどの圧電マット３１に乗ったのか、または手洗いを終えてどの圧電マット３１から立ち退いたのかを判別することが可能となる。
【００４９】
このビーコン信号は、ブルートゥース（Bluetooth）（登録商標）を用いた２．４GHz帯無線を用い、ＩＤ情報の一種であるアドバタイズメント・パケットなる標識信号で構成される。ビーコン信号発信部３３は、圧電素子３２により発電された電力が残っている限り１０ミリ秒ごとに発信される。
【００５０】
前記アドバタイズメント・パケットなる標識信号には受信機側が識別のために必要な以下のデータが含まれている。第１のデータは、ＵＵＩＤ（Universally Unique Identifier）で128ビットからなり、本システム用の固有のビーコンであることを表すデータである。第２のデータは、Major codeで16ビットからなり、複数敷設されたマットのうちの踏まれたマットを特定するためのマット固有の番号を示す。第３のデータは、Minor codeで16ビットからなり、マットに含まれる複数の圧電素子のうちどの圧電素子からの信号であるのか、また、踏まれたのか踏まれた状態から離れたのかを示す。
【００５１】
サイネージ装置２１のビーコン信号受信部２４が受信したビーコンに含まれるデータを解析することにより、どのマットに手洗い者が乗ったのか、両足を乗せたか、離れたか等の状態を判定し、サイネージ端末に所定の動作をおこなわせることができる
【００５２】
サイネージ装置のカメラ部は、手洗い実施者の顔画像を撮影する。本撮影画像により、手洗い者の特定、途中離脱の有無の判定が可能となる。
【００５３】
サイネージ装置のスピーカー部は、正しい手洗いの手順の説明時や、手洗い者が途中離脱をした場合に警告を発するときに使われる。
【００５４】
サイネージ装置のデータ管理部は、手洗い者の個人名、手洗い者の手洗い状況、等、管理に必要なデータを管理する。
【００５５】
本実施例によって、従来のシステムの課題が以下のように解決された。従来の手洗いサイネージ装置で用いてきた手洗い者の認識に焦電型センサーでは、衣服の種類等により感度がバラつくため、ビデオの再生開始のタイミングがばらついたり、場合によっては反応しなかったり、装置の前を人が通過しただけで反応してしまうといったことがあった。しかし、圧電マットを用いた本発明の実施例では、正確に手洗い者が手洗い器の前に立ったことを検出できることで、ビデオの再生開始のタイミングを正確に規定することができ、且つ途中離脱等の状態を検出できるようになった。
【００５６】
従来のシステムでは、圧電マットとサイネージ装置をケーブルで接続することも可能であるが、無線接続させた本発明では、床面等に対する配線/敷設工事が不要であること、床面清掃を含むメンテナンスが容易であることなど、清潔が常に要求される職場では大きなメリットとなった。
【００５７】
従来のシステムでは、圧電マットとサイネージ装置を無線や赤外線で接続しようとする試みもあったが、赤外線では照明等の雑音で信号が乱される可能性があり、通常の無線接続では同一洗面所に複数の洗面台がある場合に発生する混信の問題を回避できることが困難であった。しかし、本システムで用いたビーコン信号を用いることにより、これらの課題がすべて解決された。
【００５８】
次に、本発明の手洗い指導管理方法を実施するための最良の形態について図面を用いて説明する。
【００５９】
図６は、手洗い者が洗面器の前に立つ前の初期状態（段階１）から手洗い指導動画が再生されるまで（段階２）のステップを示すフロー図である。
【００６０】
手洗い者１０は、洗面所に入り、手洗い器１１の前に立つと手洗い器の床に設置された圧電マット３１を踏む。すると、圧電マット３１内の圧電素子が起電し、ビーコン信号発信部３３から踏みつけビーコン信号が発信される。
【００６１】
図６で、ステップ５１は、サイネージ装置２１が初期状態１において専用のＩＤビーコン信号を受信したどうかを判定する。ＹＥＳの場合次のステップに進み、ＮＯの場合初期状態（段階１）に戻る。この判定は、受信したビーコン信号内のアドバタイズメント・パケットなる標識信号の第１のデータであるUUIDが、本システム用の固有のビーコンであるか否かで行われる。
【００６２】
ステップ５２では、サイネージ装置２１が受信したビーコン信号が自分の圧電マットからの信号か否かを判定する。ＹＥＳの場合次のステップに進み、ＮＯの場合初期状態（段階１）に戻る。判定は、受信したビーコン信号内のアドバタイズメント・パケットなる標識信号の第２のデータであるMajor codeにより、複数敷設された圧電マットのうちの踏まれた圧電マットを特定するための圧電マット固有の番号により自分の圧電マットからの信号か否かが判定される。
【００６３】
ステップ５３では、サイネージ装置２１が受信したビーコン信号が自分のマットの右のマットからの信号かもしくは左のマットからのどちらの信号であるか、とマットに圧が加わったか減じたか、を判定する。圧が加わることは、すなわち手洗い者がマットの乗ったことを意味しＩＮ信号であらわされ、圧が減じたときは、手洗い者がマットから立ち退いたことを意味し、ＯＵＴ信号であらわされる。ＹＥＳの場合次のステップに進み、ＮＯの場合初期状態（段階１）に戻る。判定は、受信したビーコン信号内のアドバタイズメント・パケットなる標識信号の第３のデータであるMinor codeで行われる。
【００６４】
ステップ５４では、この判定が行われたのち、５秒にセットされたタイマーが開始する。
【００６５】
ステップ５５では、タイマーがカウントダウンし、ステップ５６でタイマーカウントが０になったか否かを判定する。タイマーカウントが０になる前は、次のステップ５７、５８、５９に進み、ステップ５１、５２、５３と同様の動作がそれぞれ行われる。
【００６６】
このようにして、５秒以内に左の圧電素子と右の圧電素子の双方からビーコン信号が発信されると、次の段階２に進む。
【００６７】
本実施例では、タイマーセット時間を５秒と設定したが、この時間に限定されない。
【００６８】
図７は、手洗い指導動画が再生されてから再生が停止されるまでのステップを示すフロー図である。
【００６９】
段階２に進んだサイネージ装置３１は、ステップ６１に進む。ステップ６１では、正しい手洗い手順を示した動画再生を開始し、同時に手洗い者を撮影し録画を開始する。これによって、手洗い者は再生動画に従って正しい手洗いを行う。
【００７０】
サイネージ装置は、ステップ６２、６３、６４で動画再生中に専用ビーコン受信信号が受信されたか否か、自分の圧電マットからの信号か否か、右もしくは左のＯＵＴ信号か否かを判定する。
【００７１】
本実施例では、圧電マットを足で踏んだ時（ＩＮ）と離した時（ＯＵＴ)とでそれぞれを識別可能な信号が送られるため、圧電マット上に両足が乗った状態を正確に判定することができる。ＩＮ信号が左もしくは右の圧電マットからとさらに逆の圧電マットから２回連続で観測され、その後一定期間（1秒程度）保持された場合に限り”手洗い開始”と判定する。このステップを踏むことで、確実にマットに乗った場合と、単にマットの上を通り過ぎた場合との判別を行うことが可能である。
【００７２】
ステップ６４の判定がＹＥＳの場合次のステップ６５に進み、ＮＯの場合はステップ６２に戻る。
【００７３】
ステップ６５では、動画が再生中か否かを判定し、動画が終了している場合は段階３の録画停止、データ廃棄、再生停止に進む。これは、この手洗い者は正しい手順に従って正しい時間手洗いをしたとみなし、これらの手洗い者については記録を廃棄する。
【００７４】
本実施例では、正しい手洗い者については、記録を廃棄することにしたが、この記録を保存するようにするか否かは、本発明の設計上の問題で、本実施例ではメモリーコストを考慮して記録を廃棄することにした。
【００７５】
ステップ６５で、動画再生中であるにも関わらず圧電マットから立ち退いた場合は、最後まで正しい手洗い指導映像通りに手を洗わなかったと見なして、ステップ６６に進む。
【００７６】
ステップ６６では、動画の再生を停止し、警告画面を５秒間表示し、再生を再開する。本実施例では、警告を画面で表示したが、音声と同時、もしくは音声のみで行ってもよい。また、警告画面表示時間を５秒としたが、警告を受けた手洗い者が再度手洗いを行うまで待つ時間で、この時間は特に５秒に限定されない。
【００７７】
そして、次のステップ６７に進む。ここで、動画再生が再開中に圧電マットからのビーコン信号を受信するステップ６８、６９、７０によって、手洗いを再開した手洗い者が正しく手洗いを終了したか否かを判断する。手洗い者が立ち去ったか否かの判断は、本実施例では、圧電素子が右足用と左足用に２か所に分離されているので、両方の圧電マットからＯＵＴ信号が発せられた時を手洗い者が立ち去ったと判断する。
【００７８】
圧電素子が１枚構成の場合は、圧電素子が一方の足を上げたことを意味するＯＵＴ信号を受信し、引き続き残りの足をマットから持ち上げたことを意味する２回目のＯＵＴ信号を受信すると離脱と判定することも出来る。
【００７９】
ステップ７１によって、動画の再生が終了まで圧電マットから立ち去らない場合、正しく手洗いを終了したとみなして、段階３にすすみ、録画停止、データ破棄を行う。正しい手洗い者のデータは、特に保存しない設計としたためである。
【００８０】
ステップ７１で、ビデオの再生が終了する前に圧電マットから立ちさった場合、正しく手洗いを終了しなかったとみなして、ステップ７２に進む。ステップ７２では、録画を停止し、録画を保存し、再生を停止する。
【００８１】
サイネージ装置１１は、データ管理部２５が手洗いを手順通り正しく行わなかった手洗い者の映像を記録管理する。
【００８２】
本実施例では、正しく手洗いを行わない者の録画を保存したが、逆に手洗い履行を確実におこなっている者のみの録画を記録（回数を含め）することで、手洗い履行していない者または途中離脱者の洗い出しをおこなうこともできる。
【００８３】
本実施例では、記録として動画を録画したが、静止画でも良い。
【００８４】
本実施例では、記録として動画を用いたが、映像から個人を識別する機能を付加して、個人名で記録管理することも可能である。
【００８５】
本実施例では、記録として動画を用いたが、動画からどの部分の手洗いの過程が問題であるかを識別し、この識別結果を記録管理することも可能である。
【００８６】
本実施例では、動画の再生終了前に離脱しようとすると動画オ再生がポーズ状態となり、警告によって手洗いを続けるように促すことで、手洗いを徹底させることができる。
【００８７】
本実施例によって、従来の手洗い指導管理方法における課題が以下のように解決された。従来の手洗い指導管理方法で用いてきた手洗い者の認識に焦電型センサーでは、衣服の種類等により感度がバラつくため、ビデオの再生開始のタイミングがばらついたり、場合によっては反応しなかったりといったことがあった。しかし、圧電マットを用いた本発明の実施例では、正確に手洗い者が手洗い器の前に立ったことを認識することがなくなり、ビデオの再生開始のタイミングを正確に規定することができるようになった。
【００８８】
従来の手洗い指導管理方法では、圧電マットとサイネージ装置をケーブルで接続することも可能であるが、無線接続させた本発明では、床面等に対する配線／敷設工事が不要であること、床面清掃を含むメンテナンスが容易であることなど、清潔が常に要求される職場では大きなメリットとなった。
【００８９】
従来の手洗い指導管理方法では、圧電マットとサイネージ装置を無線や赤外線で接続しようとする試みもあったが、赤外線では照明等の雑音で信号が乱される可能性があり、通常の無線接続では同一洗面所に複数の洗面台がある場合に発生する混信の問題を回避できることが困難であった。しかし、本手洗い指導管理方法で用いたビーコン信号を用いることにより、これらの課題がすべて解決された。
【００９０】
従来の手洗い指導管理方法では課題であった、手洗い者が両足とも圧電マットに乗ったか否か、また、両足とも圧電マットから退出したかいなかを正確に把握可能となった。そのことにより、正しく手洗いを手順通り、かつ、時間を守って行った否かの判定が可能となり、さらに、その結果を個人別に管理することが可能となった。
【産業上の利用可能性】
【００９１】
正しい手洗いが、食品工場やレストランの調理場における従業員、病院における手術にあたる医者等の治療従事者、インフルエンザが流行時の学校における生徒、等に重要で、本発明はそれらの対象となる手洗い者が示された正しい手洗い手順にそって正しく手洗いをする効果が高く、有用である。
【符号の説明】
【００９２】
段階１  初期状態
段階２  動画開始前状態
段階３  正しい手洗い終了
１０  手洗い者
１１  手洗い器
２１  サイネージ装置
２２  ディスプレー部
２３  画像記録部
２４  ビーコン信号受信部
２５  データ管理部
２６  カメラ部
２７  スピーカー部
３１  圧電マット
３２  圧電素子
３３  ビーコン信号発信部
【図１】
2020091815.tif 000003
【図２】
2020091815.tif 000004
【図３】
2020091815.tif 000005
【図４】
2020091815.tif 000006
【図５】
2020091815.tif 000007
【図６】
2020091815.tif 000008
【図７】
2020091815.tif 000009